(57)【要約】【課題】通常色塗料およびメタリック色塗料を高い品質で多くの種類について製造することができる塗料製造装置及び方法を提供する。【解決手段】塗料製造装置１００は、入力装置１１２と、通常色塗料配合比率記憶部１２６と、通常色塗料配合計算式記憶部１２８と、通常色塗料成分データ演算部１３０と、メタリック色塗料特徴分析データ記憶部１４０と、メタリック色塗料特徴分析部１４２と、メタリック色塗料配合比率記憶部１４４と、メタリック色塗料配合計算式記憶部１４６と、メタリック色塗料成分データ演算部１４８と、表示装置１５４を備える。さらに、塗料製造装置１００は、複数の塗料成分収容容器と、塗料成分の排出量を制御するための小出し機構と、複数の色に関してそれぞれ製作された複数の色見本カード３００を含む色見本票３０１とを備える。【選択図】      図１
2005024458.tif 000002
【特許請求の範囲】
【請求項１】
光輝材を含まない通常色塗料および光輝材を含むメタリック色塗料を製造するための塗料製造装置において、
製造すべき塗料に関するデータを入力するための入力装置と、
複数の通常色について求めた通常色塗料の塗料成分の配合比率である通常色塗料配合比率を記憶した通常色塗料配合比率記憶部と、
前記通常色塗料配合比率を用いて通常色塗料の塗料成分の必要量を計算する配合計算式である通常色塗料配合計算式を記憶した通常色塗料配合計算式記憶部と、
前記通常色塗料配合比率、および、前記通常色塗料配合計算式を用いて塗料成分の必要量を計算する通常色塗料成分データ演算部と、
メタリック色塗料の特徴を分析するためのメタリック色塗料特徴分析データを記憶したメタリック色塗料特徴分析データ記憶部と、
前記メタリック色塗料特徴分析データを用いてメタリック色塗料の特徴を分析するためのメタリック色塗料特徴分析部と、
複数の光輝材を含む塗料の色について求めたメタリック色塗料の塗料成分の配合比率であるメタリック色塗料配合比率を記憶したメタリック色塗料配合比率記憶部と、
前記メタリック色塗料配合比率を用いてメタリック色塗料の塗料成分の必要量を計算する配合計算式であるメタリック色塗料配合計算式を記憶したメタリック色塗料配合計算式記憶部と、
前記メタリック色塗料配合比率、および、前記メタリック色塗料配合計算式、および、メタリック色塗料特徴分析部が分析した結果を用いて塗料成分の必要量を計算するメタリック色塗料成分データ演算部と、
前記通常色塗料成分データ演算部が出力するデータ、前記メタリック色塗料成分データ演算部が出力するデータを表示するための表示装置と、
通常色の塗料を作るための塗料成分、および、メタリック色の塗料を作るための塗料成分を収容した複数の塗料成分収容容器と、
前記複数の塗料成分収容部のそれぞれに連結するように設けられ、かつ、それぞれの塗料成分収容部に収容された塗料成分の排出量を制御するための小出し機構と、
複数の色に関してそれぞれ製作された複数の色見本カードを含む色見本票とを備え、
前記色見本カードには、塗装すべき塗料の色を表示した色見本部と、塗装すべき塗料の色識別記号を表示した色識別記号部と、配合データ表示部と設けられ、前記配合データ表示部は、塗料を製造するために配合すべき原色の名前を表示した原色名表示部と、配合すべき原色の配合比率を表示した配合比率表示部とを含むように構成される、ることを特徴とする塗料製造装置。
【請求項２】
前記色見本カードにおいて、前記配合比率表示部には、複数の塗装の適用対象に関してそれぞれ配合すべき原色の配合比率が表示され、かつ、前記色見本部には、前記それぞれの配合比率を用いて製造されたそれぞれの塗料の色が表示されることを特徴とする請求項１に記載の塗料製造装置。
【請求項３】
複数の通常色に関する色見本を記憶した色見本記憶部と、
前記入力装置から入力された製造すべき塗料の色に関する塗料色データと色見本記憶部が記憶している色見本とを比較して、製造すべき塗料の種類を判定するため色判定部と、を備えることを特徴とする請求項１又は２に記載の塗料製造装置。
【請求項４】
前記通常色塗料成分データ演算部が出力するデータ、および、前記メタリック色塗料成分データ演算部が出力するデータに基づいて、前記小出し機構の作動を制御するための塗料成分配合制御部を備えることを特徴とする請求項１から請求項３のいずれか１項に記載の塗料製造装置。
【請求項５】
前記塗料成分収容容器は、回転移動又は直線移動可能なように配置されることを特徴とする請求項１から請求項４のいずれか１項に記載の塗料製造装置。
【請求項６】
光輝材を含まない通常色塗料および光輝材を含むメタリック色塗料を製造するための塗料製造方法において、
（あ）複数の通常色の塗料に関して、その塗料成分の配合比率である通常色塗料配合比率を求め、複数のメタリック色の塗料に関して、その塗料成分の配合比率であるメタリック色塗料配合比率を求める段階、前記複数の通常色の塗料に関して、前記通常色塗料配合比率を用いて塗料成分の必要量を計算する配合計算式である通常色塗料配合計算式を求め、前記複数のメタリック色の塗料に関して、前記メタリック色塗料配合比率を用いて塗料成分の必要量を計算する配合計算式であるメタリック色塗料配合計算式を求める段階、複数の色に関してそれぞれ製作された複数の色見本カードを含む色見本票を準備する段階、および、通常色の塗料の塗料を作るための塗料成分、および、メタリック色の塗料を作るための塗料成分を収容した複数の塗料成分収容容器を準備する段階を含み、
前記色見本カードには、塗装すべき塗料の色を表示した色見本部と、塗装すべき塗料の色識別記号を表示した色識別記号部と、配合データ表示部と設けられ、前記配合データ表示部は、塗料を製造するために配合すべき原色の名前を表示した原色名表示部と、配合すべき原色の配合比率を表示した配合比率表示部とを含むように構成されており、更に、
（い）製造すべき塗料に関するデータを入力装置から入力する段階と、
（う）サンプルの色が通常色であるか、メタリック色であるかを判定する段階と、
（え）サンプルの色が通常色であると判定された場合に、前記色見本票により、塗装すべき色に対応する色識別記号を選択し、前記選択した色識別記号と、塗装塗料の必要量とを前記入力装置から入力し、前記通常色塗料配合比率、および、前記通常色塗料配合計算式を用いて塗料成分の必要量を計算し、前記塗料成分の必要量の計算結果に基づいて、前記塗料成分収容容器内の塗料成分を用いて通常色塗料を製造する段階と、
（お）サンプルの色がメタリック色であると判定された場合に、メタリック色塗料の特徴を分析し、前記メタリック色塗料配合比率、および、前記メタリック色塗料配合計算式、および、メタリック色塗料の特徴の分析結果を用いて塗料成分の必要量を計算し、前記塗料成分の必要量の計算結果に基づいて、前記塗料成分収容容器内の塗料成分を用いてメタリック色塗料を製造する段階と、を含むことを特徴とする方法。
【請求項７】
前記複数の塗料成分収容部のそれぞれに設けられ、かつ、それぞれの塗料成分収容部に収容された塗料成分の排出を制御するための小出し機構を備えることを特徴とする請求項６に記載の方法。
【請求項８】
製造すべき塗料に関するデータは塗料の必要量に関するデータを含み、この塗料の必要量に関するデータは、塗料の重量に関するデータ、及び／又は、塗料を塗装すべき面積に関するデータ、及び／又は、塗料を塗装すべき部分の材質に関するデータを含むことを特徴とする請求項６又は７に記載の方法。
【請求項９】
前記塗料成分収容容器は、回転移動又は直線移動可能なように配置されることを特徴とする請求項６から請求項８のいずれか１項に記載の塗料製造装置。
【発明の詳細な説明】
【０００１】
【発明の属する技術分野】
本発明は、光輝材を含まない塗料および光輝材を含む塗料を製造するための塗料製造装置および塗料製造方法に関する。以下、本明細書においては、光輝材を含まない塗料を「通常色塗料」と称し、光輝材を含む塗料を「メタリック色塗料」と称する。
【０００２】
【従来の技術】
（１）コンピュータ調色方法
従来のコンピュータ調色方法においては、測色計およびミクロ光輝感測定器により測定したデータと、予めコンピュータに登録されたデータとを比較して、必要な塗料の配合を選択していた（例えば、特許文献１参照）。
（２）塗料中の光輝材を同定する方法
従来の塗料中の光輝材を同定する方法においては、配合未知の塗色に使われている光輝材の特徴パラメータを目視で抽出し、抽出した特徴パラメータをキーワードとして画像データベースを検索し、最も近い単品光輝材の画像をモニター上に写し、配合未知塗色の画像と単品光輝材の画像を比較して配合未知塗色に使われている光輝材の種類を同定していた（例えば、特許文献２参照）。
（３）塗装用色見本カード
従来の塗装用色見本カードは、塗料の色見本と、塗装色名、塗料の原色名、配合量のデータを備え、配合量のデータは、少なくとも、２種類以上が、水平面を主体とする被塗装対象と、垂直面を主体とする被塗装対象とに対応し、各原色名に対応して記述されている（例えば、特許文献３参照）。
【０００３】
【特許文献１】
特開２００１−２２１６９０号公報（第４〜８頁、図１）
【特許文献２】
特開２００１−２６５７８６号公報（第３〜８頁、図１）
【特許文献３】
特許第３１３２６４９号公報（第２〜３頁、図１）
【０００４】
【発明が解決しようとする課題】
特許文献１に開示されているコンピュータ調色方法では、測色計およびミクロ光輝感測定器により測定したデータと、予めコンピュータに登録されたデータとを比較して、必要な塗料の配合を選択しているだけで、どのようにして塗料を製造することができるかを開示していなかった。
特許文献２に開示されている塗料中の光輝材を同定する方法では、配合未知塗色に使われている光輝材の種類を同定するだけで、どのようにして塗料を製造することができるかを開示しておらず、また、光輝材を含まない通常色塗料の製造装置及び製造方法を開示していなかった。
特許文献３は、従来の塗装用色見本カードを開示しているが、どのようにして塗料を製造することができるかを開示していなかった。
【０００５】
【発明の目的】
そこで、本発明の目的は、通常色塗料およびメタリック色塗料を高い品質で多くの種類について製造することができる塗料製造装置および塗料製造方法を提供することにある。
また、本発明の他の目的は、通常色塗料およびメタリック色塗料を自動的かつ効率的に製造することができる塗料製造装置および塗料製造方法を提供することにある。
また、本発明の他の目的は、塗料製造装置の小型化を実現することにある。
【０００６】
【課題を解決するための手段】
本発明は、光輝材を含まない通常色塗料および光輝材を含むメタリック色塗料を製造するための塗料製造装置において、製造すべき塗料に関するデータを入力するための入力装置と、複数の通常色について求めた通常色塗料の塗料成分の配合比率である通常色塗料配合比率を記憶した通常色塗料配合比率記憶部と、前記通常色塗料配合比率を用いて通常色塗料の塗料成分の必要量を計算する配合計算式である通常色塗料配合計算式を記憶した通常色塗料配合計算式記憶部と、前記通常色塗料配合比率、および、前記通常色塗料配合計算式を用いて塗料成分の必要量を計算する通常色塗料成分データ演算部と、メタリック色塗料の特徴を分析するためのメタリック色塗料特徴分析データを記憶したメタリック色塗料特徴分析データ記憶部と、前記メタリック色塗料特徴分析データを用いてメタリック色塗料の特徴を分析するためのメタリック色塗料特徴分析部と、複数の光輝材を含む塗料の色について求めたメタリック色塗料の塗料成分の配合比率であるメタリック色塗料配合比率を記憶したメタリック色塗料配合比率記憶部と、前記メタリック色塗料配合比率を用いてメタリック色塗料の塗料成分の必要量を計算する配合計算式であるメタリック色塗料配合計算式を記憶したメタリック色塗料配合計算式記憶部と、前記メタリック色塗料配合比率、および、前記メタリック色塗料配合計算式、および、メタリック色塗料特徴分析部が分析した結果を用いて塗料成分の必要量を計算するメタリック色塗料成分データ演算部とを備える。
【０００７】
本発明の塗料製造装置は、さらに、前記通常色塗料成分データ演算部が出力するデータ、前記メタリック色塗料成分データ演算部が出力するデータを表示するための表示装置と、通常色の塗料を作るための塗料成分、および、メタリック色の塗料を作るための塗料成分を収容した複数の塗料成分収容容器と、前記複数の塗料成分収容部のそれぞれに連結するように設けられ、かつ、それぞれの塗料成分収容部に収容された塗料成分の排出量を制御するための小出し機構と、複数の色に関してそれぞれ製作された複数の色見本カードを含む色見本票とを備える。
さらに、前記色見本カードには、塗装すべき塗料の色を表示した色見本部と、塗装すべき塗料の色識別記号を表示した色識別記号部と、配合データ表示部と設けられ、前記配合データ表示部は、塗料を製造するために配合すべき原色の名前を表示した原色名表示部と、配合すべき原色の配合比率を表示した配合比率表示部とを含むように構成される。この構成により、通常色塗料およびメタリック色塗料を高い品質で多くの種類について製造することができる。
【０００８】
本発明の塗料製造装置では、前記色見本カードにおいて、前記配合比率表示部には、複数の塗装の適用対象に関してそれぞれ配合すべき原色の配合比率が表示され、かつ、前記色見本部には、前記それぞれの配合比率を用いて製造されたそれぞれの塗料の色が表示されるように構成されるのが好ましい。この構成により、塗装の適用対象の異なる部分、例えば、水平面と垂直面に同じ配合比率を用いて製造した塗料を塗装したとき、水平面の状態と垂直面の状態の差によって、異なる色合いを認識することができる。したがって、塗装作業者は、その目視によって、塗装の適用対象の塗装面の状態に応じて色合いを選択することができる。
【０００９】
また、本発明の塗料製造装置は、複数の通常色に関する色見本を記憶した色見本記憶部と、入力装置から入力された製造すべき塗料の色に関する塗料色データと色見本記憶部が記憶している色見本とを比較して、製造すべき塗料の種類を判定するため色判定部とを備えるのが好ましい。この構成により、複数の通常色を高い品質で判定することができる。
【００１０】
また、本発明の塗料製造装置は、通常色塗料成分データ演算部が出力するデータ、および、メタリック色塗料成分データ演算部が出力するデータに基づいて、小出し機構の作動を制御するための塗料成分配合制御部を備えるのが好ましい。
この構成により、複数の通常色を効率的に製造することができる。
さらに、本発明の塗料製造装置では、塗料成分収容容器は、回転移動又は直線移動可能なように配置されるのが好ましい。この構成により、少ないスペースに効果的に複数の塗料成分収容容器を配置することができ、塗料製造装置の小型化を実現することができる。
【００１１】
さらに、本発明は、光輝材を含まない通常色塗料および光輝材を含むメタリック色塗料を製造するための塗料製造方法において、複数の通常色の塗料に関して、その塗料成分の配合比率である通常色塗料配合比率を求め、複数のメタリック色の塗料に関して、その塗料成分の配合比率であるメタリック色塗料配合比率を求める段階、複数の通常色の塗料に関して、通常色塗料配合比率を用いて塗料成分の必要量を計算する配合計算式である通常色塗料配合計算式を求め、複数のメタリック色の塗料に関して、メタリック色塗料配合比率を用いて塗料成分の必要量を計算する配合計算式であるメタリック色塗料配合計算式を求める段階と、複数の色に関してそれぞれ製作された複数の色見本カードを含む色見本票を準備する段階とを含む。
【００１２】
本発明の塗料製造方法は、更に、通常色の塗料の塗料を作るための塗料成分、および、メタリック色の塗料を作るための塗料成分を収容した複数の塗料成分収容容器を準備する段階を含む。
色見本カードは、塗装すべき塗料の色を表示した色見本部と、塗装すべき塗料の色識別記号を表示した色識別記号部と、配合データ表示部と設けられ、前記配合データ表示部は、塗料を製造するために配合すべき原色の名前を表示した原色名表示部と、配合すべき原色の配合比率を表示した配合比率表示部とを含むように構成される。
【００１３】
本発明の塗料製造方法は、更に、製造すべき塗料に関するデータを入力装置から入力する段階と、サンプルの色が通常色であるか、メタリック色であるかを判定する段階と、サンプルの色が通常色であると判定された場合に、前記色見本票により、塗装すべき色に対応する色識別記号を選択し、前記選択した色識別記号と、塗装塗料の必要量とを前記入力装置から入力し、前記通常色塗料配合比率、および、前記通常色塗料配合計算式を用いて塗料成分の必要量を計算し、前記塗料成分の必要量の計算結果に基づいて、前記塗料成分収容容器内の塗料成分を用いて通常色塗料を製造する段階と、サンプルの色がメタリック色であると判定された場合に、メタリック色塗料の特徴を分析し、前記メタリック色塗料配合比率、および、前記メタリック色塗料配合計算式、および、メタリック色塗料の特徴の分析結果を用いて塗料成分の必要量を計算し、前記塗料成分の必要量の計算結果に基づいて、前記塗料成分収容容器内の塗料成分を用いてメタリック色塗料を製造する段階とを含む。この方法により、通常色塗料およびメタリック色塗料を高い品質で多くの種類について製造することができる。
【００１４】
本発明の方法では、前記複数の塗料成分収容部のそれぞれに設けられ、かつ、それぞれの塗料成分収容部に収容された塗料成分の排出を制御するための小出し機構を備えるのが好ましい。
また、本発明の方法では、製造すべき塗料に関するデータは塗料の必要量に関するデータを含み、この塗料の必要量に関するデータは、塗料の重量に関するデータ、及び／又は、塗料を塗装すべき面積に関するデータ、及び／又は、塗料を塗装すべき部分の材質に関するデータを含むのが好ましい。
さらに、本発明の方法では、塗料成分収容容器は、回転移動又は直線移動可能なように配置されるのが好ましい。この構成により、少ないスペースに効果的に複数の塗料成分収容容器を配置することができ、小型の塗料製造装置を用いて、迅速に塗料の製造を行うことができる。
【００１５】
【発明の効果】
本発明により、塗料製造工場などにおいて、通常色塗料およびメタリック色塗料を高い品質で多くの種類について製造することができる。
また、本発明により、通常色塗料およびメタリック色塗料を自動的かつ効率的に製造することができる。
また、本発明により、少ないスペースに効果的に複数の塗料成分収容容器を配置することができ、塗料製造装置の小型化を実現することができる。
また、本発明により、小型の塗料製造装置を用いて、迅速に塗料の製造を行うことができる。
【００１６】
【発明の実施の形態】
以下に、本発明の実施形態を図面に基づいて説明する。
（１）本発明の塗料製造装置の構成
最初に、本発明の塗料製造装置の構成について説明する。
図１を参照すると、本発明の塗料製造装置１００は、製造管理装置１１０と、塗料配合装置１６０とを備える。製造管理装置１１０はコンピュータを含む。コンピュータは、大容量の管理用データを記憶するための外部記憶装置を備えてもよい。外部記憶装置は、メモリ（ＲＯＭ，ＲＡＭ）を含む。コンピュータは、中央演算装置（ＣＰＵ）と、メモリ（ＲＯＭ，ＲＡＭ）とを含む。製造管理装置１１０は、製造すべき塗料に関するデータを入力し、かつ、サンプルの画像を入力するための入力装置１１２を備える。入力装置１１２は、例えば、キーボード、スキャナ、プローブ型撮像装置などにより構成される。プローブ型撮像装置１１６のプローブは光学顕微鏡２３０に取り付けられる。したがって、光学顕微鏡２３０により観察されるサンプルの画像に関するデータは、プローブ型撮像装置１１６のプローブを介して入力装置１１２に入力されるように構成される。
【００１７】
或いは、光学顕微鏡２３０に取り付けた撮影装置を用いて、サンプルの画像を写真フィルムに撮影し、この写真フィルムを現像し、その現像した写真フィルムから引き伸ばしたサンプルの拡大画像をスキャナに入力することにより、サンプルの画像に関するデータを入力装置１１２に入力するように構成することもできる。或いは、プローブ型撮像装置１１６を設けないで、もしくは、プローブ型撮像装置１１６を設けた構成においても、サンプルの画像を光学顕微鏡２３０により観察し、その観察結果を入力装置１１２のキーボードから入力装置１１２に入力するように構成することもできる。
製造すべき塗料に関するデータは、塗料の必要量に関するデータを含む。塗料の必要量に関するデータは、塗料の重量に関するデータ、及び／又は、塗料を塗装すべき面積に関するデータ、及び／又は、塗料を塗装すべき部分の材質に関するデータを含む。
【００１８】
更に、塗料製造装置１００は、複数の色に関してそれぞれ製作された複数の色見本カードを含む色見本票３０１を備える。図１０を参照すると、代表例として、色見本票３０１の一番上には、色見本カード３００が示されている。この色見本カード３００は、長方形のシート材料で形成される。或いは、それぞれの色見本カード３００は、三角形、正方形、多角形、円形、楕円形などの種々の形状のシート材料で形成することもできる。色見本カード３００を形成するシート材料は、紙、厚紙、プラスチックフィルムなどである。
さらに、図１０を参照すると、第１タイプの色見本カード３００は、カードの一方の表面において、カードの最上部に配置された色見本部３０２と、色見本部３０２の下方に位置したカード区分表示部３０４と、適用表示部３０４の下方に位置し、塗装色の識別番号（塗料の識別番号）を示すための色識別記号部３０６と、色識別記号部３０６の下方に位置した塗装色名部３０８と、塗装色名部３０８の下方に位置した配合データ表示部３１０と、配合データ表示部３１０の下方に位置し、かつ、カードの最下部に配置された適用対象表示部３１２とを含む。
【００１９】
色見本部３０２には、塗装すべき塗料の色が長方形又は正方形の領域内に表示される。カード区分表示部３０４には、塗料を塗装すべき区分が表示される。カード区分表示部３０４には、例えば、会社名を示す文字として「ＸＹ会社」が表示される。カード区分表示部３０４には、塗料を塗装すべき区分として、会社名、製品名、輸出国名などを表示することができる。色識別記号部３０６には、塗装すべき塗料の識別番号が表示される。色識別記号部３０６には、例えば、塗料の識別記号（塗料の識別番号）として「１８３」が表示される。塗装色名部３０８には、塗装すべき塗料の名称が表示される。塗装色名部３０８には、例えば、塗料名称として「ダークブルーイッシュグレーＭ」が表示される。
【００２０】
配合データ表示部３１０は、塗料を製造するために配合すべき原色の名前を表示した原色名表示部３１０ａと、配合すべき原色の配合比率を表示した配合比率表示部３１０ｂとを含む。例えば、原色名表示部３１０ａには、複数の原色名として「７２９ブラック」などが表示される。例えば、配合比率表示部３１０ｂには、「７２９ブラック」の配合比率として、塗装の適用対象「Ａ」に関しての配合比率「３３．６」（単位は重量％）が表示され、塗装の適用対象「Ｂ」に関しての配合比率「３０．５」（単位は重量％）が表示される。図１には、２つの塗装の適用対象に関しての配合比率を表示しているけれども、配合比率表示部３１０ｂには、３つ以上の塗装の適用対象に関しての配合比率を表示することもできる。
【００２１】
適用対象表示部３１２には、塗装の適用対象、例えば、自動車ボディについて、「Ａ：水平面、Ｂ：垂直面」が表示される。塗装すべき適用対象が自動車ボディである場合、同じ塗料を塗装したときでも、水平部分を主体とするボンネット部や屋根部と、垂直部分を主体とするドア部やボディ側面部では塗装面の色合いが微妙に異なることが知られている。更に、塗装すべき適用対象の材質が異なるとき、或いは、塗装すべき適用対象の表面平滑度が異なるときも、塗装面の色合いが微妙に異なることが知られている。したがって、配合比率表示部３１０ｂには、配合比率が少なくとも２種類表示されている。第１タイプの色見本カード３００では、色見本部３０２に、塗装の適用対象「Ａ」又は「Ｂ」のいずれか一方の配合比率により製造した塗料の色を表示している。
この第１タイプの色見本カード３００を用いることにより、塗装の適用対象の水平面と垂直面に関して、それぞれ異なる配合比率を用いて製造した塗料を塗装したとき、水平面および垂直面について、視覚的に同じ色合いを認識することができる。したがって、塗装作業者は、塗装の適用対象の水平面および垂直面について、視覚的に同一な感覚を与えられる塗装作業を行うことができる。この第１タイプの色見本カード３００を用いることにより、塗装の適用対象が部分的に異なる材料で形成されているとき、表面の色合いが同一な色合いになるような塗装作業を行うことができる。
【００２２】
次に、図１１を参照すると、第２タイプの色見本カード３２０は、カードの一方の表面において、カードの最上部に配置された色見本部３２２と、色見本部３０２の下方に位置したカード区分表示部３０４と、適用表示部３０４の下方に位置した色識別記号部３０６と、色識別記号部３０６の下方に位置した塗装色名部３０８と、塗装色名部３０８の下方に位置した配合データ表示部３１０と、配合データ表示部３１０の下方に位置し、かつ、カードの最下部に配置された適用対象表示部３１２とを含む。すなわち、第１タイプの色見本カード３００と、第２タイプの色見本カード３２０の相違点は、色見本部だけである。したがって、以下の説明は、第２タイプの色見本カード３２０の色見本部３２２ついてのみ行うので、第２タイプの色見本カード３２０の他の部分については、前述した第１タイプの色見本カード３００についての説明をここに準用する。
色見本部３２２は、左側に位置する第１色見本部３２２ａと、右側に位置する第２色見本部３２２ｂとを含む。第１色見本部３２２ａには、配合比率表示部３１０ｂの塗装の適用対象「Ａ」に関しての配合比率を用いて製造された塗料の色が長方形又は正方形の領域内に表示される。第２色見本部３２２ｂには、配合比率表示部３１０ｂの塗装の適用対象「Ｂ」に関しての配合比率を用いて製造された塗料の色が長方形又は正方形の領域内に表示される。
【００２３】
次に、図１２を参照すると、第３タイプの色見本カード３３０は、カードの一方の表面において、カードの最上部に配置された色見本部３２２と、色見本部３０２の下方に位置したカード区分表示部３０４と、適用表示部３０４の下方に位置した色識別記号部３０６と、色識別記号部３０６の下方に位置した塗装色名部３０８と、塗装色名部３０８の下方に位置した配合データ表示部３３２と、配合データ表示部３３２の下方に位置し、かつ、カードの最下部に配置された適用対象表示部３１２とを含む。すなわち、第１タイプの色見本カード３００と、第３タイプの色見本カード３３０の相違点は、色見本部および配合データ表示部である。したがって、以下の説明は、第３タイプの色見本カード３３０の色見本部３２２と、配合データ表示部３３２ついてのみ行うので、第３タイプの色見本カード３３０の他の部分については、前述した第１タイプの色見本カード３００についての説明をここに準用する。
【００２４】
第３タイプの色見本カード３３０の色見本部３２２は、第２タイプの色見本カード３２０の色見本部３２２と同様な構成である。すなわち、色見本部３２２は、左側に位置する第１色見本部３２２ａと、右側に位置する第２色見本部３２２ｂとを含む。第１色見本部３２２ａには、配合比率表示部３１０ｂに記載されている配合比率を用いて製造された塗料を水平面に塗装したときの色が、長方形又は正方形の領域内に表示される。第２色見本部３２２ｂには、配合比率表示部３１０ｂに記載されている配合比率を用いて製造された塗料を垂直面に塗装したときの色が、長方形又は正方形の領域内に表示される。
配合データ表示部３３２は、原色名表示部３３２ａと、配合比率表示部３３２ｂとを含む。例えば、原色名表示部３３２ａには、複数の原色名として「７２９ブラック」などが表示される。例えば、配合比率表示部３３２ｂには、「７２９ブラック」の配合比率として、「３０．５」（単位は重量％）が表示される。
この構成により、塗装の適用対象の水平面と垂直面に同じ配合比率を用いて製造した塗料を塗装したとき、水平面の状態と垂直面の状態の差によって、異なる色合いを認識することができる。したがって、塗装作業者は、その目視によって、塗装の適用対象の塗装面の状態に応じて色合いを選択することができる。
【００２５】
或いは、変形例として、塗料製造装置１００は、複数の色に関する色見本、および、それぞれの色を示す色識別記号を含む色見本帳２２０を備えるように構成することもできる。図３を参照すると、色見本帳２２０は、例えば、バインダー式のファイルブックにより構成される。色見本帳２２０の各々のページには、複数の通常色に関する色見本２２０ａと、それぞれの色を示す色識別記号２２０ｂとが設けられる。色見本帳２２０には、それぞれの色に対応するバーコード２２０ｃを設けてもよい。
再び、図１を参照すると、色識別記号がバーコード２２０ｃを含むように構成した場合、製造管理装置１１０は、バーコードを読み取るためのバーコードリーダ１１４を備える。バーコードリーダ１１４の出力端子は入力装置１１２に接続される。
【００２６】
製造管理装置１１０は、さらに、入力装置１１２に入力された製造すべき塗料に関するデータと、サンプルの画像に関するデータを受け入れるための入力データ制御部１２０と、複数の通常色に関する色見本を記憶した色見本記憶部１２２と、入力データ制御部１２０から出力される製造すべき塗料の色に関する塗料色データと色見本記憶部が記憶している色見本とを比較して、製造すべき塗料の種類を判定するための色判定部１２４とを備える。或いは、色見本記憶部１２２を設けないように構成した場合には、色判定部１２４は、入力データ制御部１２０から出力される製造すべき塗料の色に関する塗料色データに基づいて、製造すべき塗料が通常色塗料であるか、メタリック色塗料であるかを判定するように構成することもできる。
【００２７】
製造管理装置１１０は、さらに、複数の通常色について求めた通常色塗料の塗料成分の配合比率である通常色塗料配合比率を記憶した通常色塗料配合比率記憶部１２６と、通常色塗料配合比率を用いて通常色塗料の塗料成分の必要量を計算する配合計算式である通常色塗料配合計算式を記憶した通常色塗料配合計算式記憶部１２８と、前記通常色塗料配合比率、および、前記通常色塗料配合計算式を用いて塗料成分の必要量を計算する通常色塗料成分データ演算部１３０と、通常色塗料成分データ演算部１３０が演算した塗料成分の必要量に関するデータの出力を制御するための通常色塗料出力データ制御部１３２とを備える。通常色塗料配合計算式記憶部１２８が記憶する複数の通常色についての塗料成分の配合比率は、塗装する下地材料と、塗装する塗料番号について、各塗料成分ごとに重量パーセントで求めるのがよい。
【００２８】
製造管理装置１１０は、さらに、メタリック色塗料の特徴を分析するためのメタリック色塗料特徴分析データを記憶したメタリック色塗料特徴分析データ記憶部１４０と、前記メタリック色塗料特徴分析データを用いてメタリック色塗料の特徴を分析するためのメタリック色塗料特徴分析部１４２と、複数の光輝材を含む塗料の色について求めたメタリック色塗料の塗料成分の配合比率であるメタリック色塗料配合比率を記憶したメタリック色塗料配合比率記憶部１４４と、前記メタリック色塗料配合比率を用いてメタリック色塗料の塗料成分の必要量を計算する配合計算式であるメタリック色塗料配合計算式を記憶したメタリック色塗料配合計算式記憶部１４６と、前記メタリック色塗料配合比率、および、前記メタリック色塗料配合計算式、および、メタリック色塗料特徴分析部１４２が分析した結果を用いて塗料成分の必要量を計算するメタリック色塗料成分データ演算部１４８と、メタリック色塗料成分データ演算部１４８が演算した塗料成分の必要量に関するデータの出力を制御するためのメタリック色塗料出力データ制御部１５２とを備える。メタリック色塗料配合比率記憶部１４４が記憶する複数のメタリック色についての塗料成分の配合比率は、塗装する下地材料と、塗装する塗料番号について、各塗料成分ごとに重量パーセントで求めるのがよい。
【００２９】
製造管理装置１１０は、さらに、通常色塗料出力データ制御部１３２が出力する出力信号を入力して、通常色塗料成分データ演算部１３０が演算した塗料成分の必要量に関するデータと、メタリック色塗料出力データ制御部１５０が出力する出力信号を入力して、メタリック色塗料成分データ演算部１４８が演算した塗料成分の必要量に関するデータとの表示を制御するための表示制御部１５２と、表示制御部１５２が出力する出力信号を入力して、塗料成分の必要量に関するデータを表示するための表示装置１５４とを備える。表示装置１５４は、例えば、液晶ディスプレイ、または、ブラウン管ディスプレイなどにより構成される。表示装置１５４とともに、プリンタなどの出力機器（図示せず）を設けることもできる。
製造管理装置１１０は、さらに、通常色塗料出力データ制御部１３２が出力する出力信号を入力し、メタリック色塗料出力データ制御部１５０が出力する出力信号を入力して、塗料成分の必要量に関するデータを塗料配合装置１６０に出力するための配合データ出力部１５６を備える。
製造管理装置１１０において、入力データ制御部１２０と、色判定部１２４と、通常色塗料成分データ演算部１３０と、通常色塗料出力データ制御部１３２と、メタリック色塗料特徴分析部１４２と、メタリック色塗料成分データ演算部１４８と、メタリック色塗料出力データ制御部１５０と、表示制御部１５２と、配合データ出力部１５６とは、コンピュータソフトウェアとしてコンピュータに設けられるのがよい。
【００３０】
図２を参照すると、塗料配合装置１６０は、製造管理装置１１０の配合データ出力部１５６が出力する出力信号を入力するための配合データ入力部１６２と、製造すべき塗料の配合に関するデータを入力するための配合データ入力装置１６４と、配合データ入力部１６２が入力した塗料成分の必要量に関するデータと、配合データ入力装置１６４から入力された製造すべき塗料の配合に関するデータを受け入れて、塗料成分の配合を制御するための塗料成分配合制御部１６６とを備える。配合データ入力装置１６４は、例えば、キーボード、スキャナ、プローブ型撮像装置などにより構成される。或いは、配合データ入力装置１６４を設けない構成では、製造すべき塗料の配合に関するデータを入力装置１１２により入力するように構成することもできる。
【００３１】
塗料配合装置１６０は、さらに、通常色の塗料、および、メタリック色の塗料を作るための塗料成分を収容した複数の塗料成分収容容器１７０と、前記複数の塗料成分収容部のそれぞれに連結するように設けられ、かつ、それぞれの塗料成分収容部に収容された塗料成分の排出量を制御するための小出し機構１７２と、小出し機構１７２のそれぞれに連結された塗料貯蔵容器１７４とを備える。塗料成分収容容器１７０は、第１塗料成分収容容器１７０ａ、第２塗料成分収容容器１７０ｂ、…、第ｎ塗料成分収容容器１７０ｎを含む。小出し機構１７２は、第１小出し機構１７２ａ、第２小出し機構１７２ｂ、…、第ｎ小出し機構１７２ｎを含む。小出し機構１７２は、開状態である時間を制御することができるように構成された流量制御弁で構成することができる。小出し機構１７２の開状態である時間の制御は、塗料成分配合制御部１６６により行われる。
複数の塗料成分収容容器１７０は、例えば、複数の区画を有する容器、又は、タンクにより構成することができる。この構成では、塗料成分収容容器１７０の複数の区画が、第１塗料成分収容容器１７０ａ、第２塗料成分収容容器１７０ｂ、…、第ｎ塗料成分収容容器１７０ｎを構成する。
塗料配合装置１６０において、配合データ入力部１６２と、塗料成分配合制御部１６６とは、コンピュータソフトウェアとしてコンピュータに設けられるのがよい。
【００３２】
次に、塗料配合装置１６０の具体的な構造を説明する。図１３を参照すると、塗料配合装置１６０は、通常色の塗料、および、メタリック色の塗料を作るための塗料成分を収容した複数の塗料成分収容容器３７０と、前記複数の塗料成分収容部のそれぞれに配管を介して連結するように設けられ、かつ、それぞれの塗料成分収容部に収容された塗料成分の排出量を制御するための塗料成分バルブ３７２と、塗料成分バルブ３７２のそれぞれに配管を介して連結された塗料貯蔵容器３７４とを備える。塗料成分収容容器３７０は、第１塗料成分収容容器３７０ａ、第２塗料成分収容容器３７０ｂ、…、第ｎ塗料成分収容容器３７０ｎを含む。
それぞれの第１塗料成分収容容器３７０ａ、第２塗料成分収容容器３７０ｂ、…、第ｎ塗料成分収容容器３７０ｎは、支持部材３７０ｐに配置される。
【００３３】
塗料成分バルブ３７２は、第１塗料成分バルブ３７２ａ、第２塗料成分バルブ３７２ｂ、…、第ｎ塗料成分バルブ３７２ｎを含む。第１塗料成分収容容器３７０ａは配管を介して第１塗料成分バルブ３７２ａに連結される。第２塗料成分収容容器３７０ｂは配管を介して第２塗料成分バルブ３７２ｂに連結される。第ｎ塗料成分収容容器３７０ｎは配管を介して第ｎ塗料成分バルブ３７２ｎ連結される。塗料成分バルブ３７２は、開状態である時間を制御することができるように構成された流量制御弁で構成することができる。塗料成分バルブ３７２の開状態である時間の制御は、前述した塗料成分配合制御部１６６が塗料成分バルブ３７２を制御するために作動することにより行われる。
塗料貯蔵容器３７４の内部において、複数の塗料成分を混合攪拌するための攪拌装置３８０が塗料貯蔵容器３７４に設けられる。攪拌装置３８０は、攪拌装置の駆動源を構成するモータ３８２と、このモータ３８２の作動により回転して塗料貯蔵容器３７４内の塗料成分を混合攪拌するための回転羽根３８４とを含む。塗料貯蔵容器３７４は配管を介して塗料容器バルブ３８６に連結される。塗料容器バルブ３８６はノズル配管３８８を介して塗装用ノズル３９０に連結される。塗料容器バルブ３８８は、開状態である時間を制御することができるように構成された流量制御弁で構成することができる。この構成により、塗料貯蔵容器３７４の内部で製造された塗料を塗装用ノズル３９０に供給することができる。
【００３４】
次に、製造管理装置の具体的構成を説明する。図１４を参照すると、製造管理装置４００は、塗料成分バルブ３７２、塗料容器バルブ３８６、塗装用ノズル３９０の作動を制御するために設けられる。塗料製造入力装置４０２は、製造すべき塗料の配合に関するデータを入力し、塗料製造作業に関する指令を入力するために設けられる。入力制御部４０４は、塗料製造入力装置４０２から入力されたデータおよび指令を受け入れ、製造管理装置の作動を開始させるための信号を出力するために設けられる。塗料成分配合制御部１６６は、入力制御部４０４から製造管理装置の作動を開始させるための信号を受け入れ、配合データ入力部１６２が入力した塗料成分の必要量に関するデータと、配合データ入力装置１６４から入力された製造すべき塗料の配合に関するデータを受け入れて、塗料成分の配合を制御するために設けられる。
塗料成分バルブ制御部４０６は、配合データ出力部１５６が出力する出力信号を入力し、塗料成分配合制御部１６６が出力する出力信号に基づいて、塗料成分バルブ３７２の作動を制御するために設けられる。攪拌装置制御部４０８は、塗料成分配合制御部１６６が出力する出力信号に基づいて、攪拌装置３８０の作動を制御するために設けられる。塗料容器バルブ制御部４１０は、塗料成分配合制御部１６６が出力する出力信号に基づいて、塗料容器バルブ３８６の作動を制御するために設けられる。塗装用ノズル制御部４１２は、塗料成分配合制御部１６６が出力する出力信号に基づいて、塗装用ノズル３９０の作動を制御するために設けられる。塗料製造出力装置４１４は、製造すべき塗料の配合に関する入力データと、塗料製造作業に関する出力データを出力するために設けられる。
【００３５】
或いは、変形例として、図１４および図１５を参照すると、第１塗料成分収容容器３７０ａ、第２塗料成分収容容器３７０ｂ、…、第ｎ塗料成分収容容器３７０ｎは、モータなどのアクチュエータ（図示せず）の駆動により回転可能な回転テーブル３７０ｔの上に配置することもできる。第１塗料成分収容容器３７０ａには、第１塗料成分バルブ３７２ａが連結される。第２塗料成分収容容器３７０ｂには、第２塗料成分バルブ３７２ｂが連結される。第ｎ塗料成分収容容器３７０ｎには、第ｎ塗料成分バルブ３７２ｎが連結される。第１塗料成分バルブ３７２ａ、第２塗料成分バルブ３７２ｂ、…、第ｎ塗料成分収容容器３７０ｎは塗料成分バルブ３７２を構成する。塗料成分バルブ３７２は、開状態である時間を制御することができるように構成された流量制御弁で構成することができる。塗料成分バルブ３７２の開状態である時間の制御は、前述した塗料成分配合制御部１６６が塗料成分バルブ３７２を制御するために作動することにより行われる。回転テーブル３７０ｔの回転移動は、前述した塗料成分配合制御部１６６が回転テーブル３７０ｔの回転を制御するために作動することにより行われる。
【００３６】
前述したように、塗料貯蔵容器３７４の内部において、複数の塗料成分を混合攪拌するための攪拌装置が塗料貯蔵容器３７４に設けられる。攪拌装置の構造は、前述した攪拌装置３８０と同様である。塗料貯蔵容器３７４は配管を介して塗料容器バルブ３８６に連結される。塗料容器バルブ３８６はノズル配管３８８を介して塗装用ノズルに連結される。塗料容器バルブ３８８は、開状態である時間を制御することができるように構成された流量制御弁で構成することができる。
この構成により、塗料貯蔵容器３７４の内部で製造された塗料を塗装用ノズル３９０に供給することができる。
【００３７】
次に、塗料製造装置の作動について説明する。回転テーブル３７０ｔが回転して、第１塗料成分収容容器３７０ａが、図１５に示す位置に位置決めされたとき、塗料成分配合制御部１６６の作動により第１塗料成分バルブ３７２ａが所定時間だけ開き、所定量の第１塗料成分が塗料貯蔵容器３７４に供給される。さらに、回転テーブル３７０ｔが反時計方向に４５度回転して、第２塗料成分収容容器３７０ｂが、図１５において第１塗料成分収容容器３７０ａが配置されている位置に位置決めされる。この状態で、塗料成分配合制御部１６６の作動により第２塗料成分バルブ３７２ｂが所定時間だけ開き、所定量の第２塗料成分が塗料貯蔵容器３７４に供給される。このようにして、必要とされる塗料成分が必要な量だけ、塗料貯蔵容器３７４に供給される。
【００３８】
もし、第３塗料成分を混合する必要がないならば、回転テーブル３７０ｔが反時計方向に９０度回転して、第４塗料成分収容容器３７０ｄが、図１５において第１塗料成分収容容器３７０ａが配置されている位置に位置決めされる。この状態で、塗料成分配合制御部１６６の作動により第４塗料成分バルブ３７２ｄが所定時間だけ開き、所定量の第４塗料成分が塗料貯蔵容器３７４に供給される。この場合、第３塗料成分は塗料貯蔵容器３７４に供給されることはない。
なお、図１４および図１５には、説明を簡略にするために、８個の塗料成分収容容器を示しているが、本発明は、複数の塗料成分収容容器、すなわち、２〜８個の塗料成分収容容器を含むように構成してもよいし、或いは、８個以上の塗料成分収容容器を含むように構成してもよい。更に、本発明は、複数の回転テーブルを含むように構成することもできる。この構成では、複数の回転テーブルのそれぞれに複数の塗料成分収容容器を配置することができる。
【００３９】
或いは、更なる変形例として、第１塗料成分収容容器３７０ａ、第２塗料成分収容容器３７０ｂ、…、第ｎ塗料成分収容容器３７０ｎは、モータなどのアクチュエータの駆動によりＸ方向およびＹ方向に移動可能なＸＹテーブル（図示せず）の上に配置することもできる。更に、本発明は、複数のＸＹテーブルを含むように構成することもできる。この構成では、複数のＸＹテーブルのそれぞれに複数の塗料成分収容容器を配置することができる。
或いは、更なる他の変形例として、第１塗料成分収容容器３７０ａ、第２塗料成分収容容器３７０ｂ、…、第ｎ塗料成分収容容器３７０ｎは、モータなどのアクチュエータの駆動により１つの方向に往復直線移動可能なリニア搬送装置（図示せず）の上に配置することもできる。更に、本発明は、複数のリニア搬送装置を含むように構成することもできる。この構成では、複数のリニア搬送装置のそれぞれに複数の塗料成分収容容器を配置することができる。
【００４０】
以上説明したように、第１塗料成分収容容器３７０ａ、第２塗料成分収容容器３７０ｂ、…、第ｎ塗料成分収容容器３７０ｎは、回転移動又は直線移動可能なように配置されるのが好ましい。塗料成分収容容器が回転移動又は直線移動可能な構成では、それぞれの塗料成分収容容器を一定の場所に移動させて、塗料成分収容容器の中の塗料成分を塗料貯蔵容器３７４の中に必要な量だけ小出しすることができる。この構成により、少ないスペースに効果的に塗料成分収容容器を配置することができ、塗料製造装置の小型化を実現することができる。
塗料製造入力装置４０２は、例えば、キーボード、スイッチ、カードリーダ、ディスクドライバなどにより構成される。塗料製造出力装置４１４は、ディスプレイ、プリンタなどにより構成される。製造管理装置４００において、入力制御部４０４と、塗料成分配合制御部１６６と、塗料成分バルブ制御部４０６と、攪拌装置制御部４０８と、塗料容器バルブ制御部４１０と、塗装用ノズル制御部４１２は、コンピュータソフトウェアとしてコンピュータに設けられるのがよい。
【００４１】
図４（ａ）〜図４（ｄ）を参照すると、メタリック色塗料特徴分析データ記憶部１４０が記憶しているメタリック色塗料の特徴を分析するためのメタリック色塗料特徴分析データは、例えば、図４（ａ）に示すような粒径（Ｄ）と、図４（ｂ）に示すような基準色（Ｃ）と、図４（ｃ）に示すような表面状態（Ｈ）と、図４（ｄ）に示すようなエッジ状態（Ｅ）とを含む。図４（ａ）を参照すると、粒径（Ｄ）は、「大」のレベル（Ｄ１）と、「中」のレベル（Ｄ２）と、「小」のレベル（Ｄ３）とに区分される。図４（ｂ）を参照すると、基準色（Ｃ）は、「黄白」のレベル（Ｃ１）と、「黄」のレベル（Ｃ２）と、「黄赤」のレベル（Ｃ３）と、「赤黄」のレベル（Ｃ４）と、「赤」のレベル（Ｃ５）と、「赤紫」のレベル（Ｃ６）と、「緑黄」のレベル（Ｃ７）と、「緑」のレベル（Ｃ８）と、「緑青」のレベル（Ｃ９）と、「青緑」のレベル（Ｃ１０）と、「青」のレベル（Ｃ１１）と、「青紫」のレベル（Ｃ１２）と、「混色」のレベル（Ｃ１３）と、「白」のレベル（Ｃ１４）と、「その他」のレベル（Ｃ１５）とに区分される。図４（ｃ）を参照すると、表面状態（Ｈ）は、「ツルツル」のレベル（Ｈ１）と、「ツルツル〜ザラザラ」のレベル（Ｈ２）と、「ザラザラ」のレベル（Ｈ３）とに区分される。図４（ｄ）を参照すると、エッジ状態（Ｅ）は、「丸」のレベル（Ｅ１）と、「丸〜ギザギザ」のレベル（Ｅ２）と、「ギザギザ」のレベル（Ｅ３）とに区分される。
【００４２】
図４（ａ）〜図４（ｄ）を参照すると、メタリック色塗料特徴分析データは、それぞれのレベルに対応する光学顕微鏡による画像又は写真又は図面を含む。図４（ａ）を参照すると、粒径（Ｄ）は、２００倍の光学顕微鏡による画像として記憶される。図４（ｃ）を参照すると、表面状態（Ｈ）は、８００倍の光学顕微鏡による画像として記憶される。図４（ｄ）を参照すると、エッジ状態（Ｅ）は、８００倍の光学顕微鏡による画像として記憶される。
【００４３】
図５を参照すると、通常色の塗料に関しては、下地材料として、例えば、鉄、木材、紙、プラスチックを定める。例えば、下地材料に塗装する塗料の色として、複数の種類の色を用意する場合、塗料番号として、鉄についてＳ０１、Ｓ０２などを定め、木材についてＳ１１、Ｓ１２などを定め、紙についてＳ２１、Ｓ２２などを定め、プラスチックについてＳ３１、Ｓ３２などを定める。例えば、鉄に塗装する塗料において、Ｓ０１に対応する色は白色であり、Ｓ０２に対応する色は灰色であり、Ｓ０３に対応する色は赤さび色であり、Ｓ０４に対応する色は黒色である。また、例えば、プラスチックに塗装する塗料において、Ｓ３１に対応する色は白色であり、Ｓ３２に対応する色は灰色であり、Ｓ３３に対応する色は茶色であり、Ｓ３４に対応する色は黒色である。
【００４４】
通常色の塗料に関しては、塗料成分として、例えば、樹脂を２種類（ｊ１、ｊ２）用意し、顔料を２種類（ｇ１、ｇ２）用意し、溶剤を２種類（ｙ１、ｙ２）用意し、添加剤を２種類（ｔ１、ｔ２）用意する。例えば、樹脂ｊ１はアクリルであり、樹脂ｊ２はウレタンであり、顔料ｇ１は酸化チタンＡであり、顔料ｇ２は酸化チタンＢであり、溶剤ｙ１は水であり、溶剤ｙ２はキシレンであり、添加剤ｔ１は（増粘剤Ａ、分散剤Ａ、消泡剤Ａ）であり、添加剤ｔ２は（増粘剤Ｂ、分散剤Ｂ、消泡剤Ｂ）である。
実験により、それぞれの下地材料にそれぞれの塗料番号の色を塗装するのに適する塗料成分（樹脂、顔料、溶剤、添加剤）の配合比率を求める。文献、カタログなどにより適正な塗料成分がわかる場合は、その値を用いてもよい。
通常色の塗料に関しては、例えば、実験により、コンクリートに灰色を塗装する場合、樹脂ｊ１を５０重量パーセント、顔料ｇ１を１５重量パーセント、顔料カーボンブラックを１０重量パーセント、溶剤ｙ１を２０重量パーセント、添加剤ｔ１を５重量パーセント配合すればよいことがわかっている。
【００４５】
また、通常色の塗料に関しては、実験により、鉄に赤さび色を塗装する場合、樹脂ｊ２を５０重量パーセント、顔料ｇ１を１５重量パーセント、顔料酸化鉄を１０重量パーセント、溶剤ｙ２を２０重量パーセント、添加剤ｔ２を５重量パーセント配合すればよいことがわかっている。このようにして、図５の各欄に対応する配合比率をすべて求め、その条件と配合比率の組合わせを通常色塗料配合比率記憶部１２６に記憶させる。通常色塗料配合比率記憶部１２６を外部記憶装置（図示せず）に設けてもよい。なお、下地材料の種類、下地材料に塗装する塗料の色の種類およびそれらの塗料番号の種類、塗料成分の種類は、上記の例に限定されることはなく、必要に応じて選定することができる。
【００４６】
図６を参照すると、メタリック色の塗料に関しては、下地材料として、例えば、鉄、木材、紙、プラスチックを定める。例えば、下地材料に塗装する塗料の色として、複数の種類の色を用意する場合、塗料番号として、鉄についてＫ０１、Ｋ０２などを定め、木材についてＫ１１、Ｋ１２などを定め、紙についてＫ２１、Ｋ２２などを定め、プラスチックについてＫ３１、Ｋ３２などを定める。例えば、鉄に塗装する塗料において、Ｋ０１に対応する色は白色に近いメタリック色であり、Ｋ０２に対応する色は灰色のメタリック色であり、Ｋ０３に対応する色は青色に近いメタリック色であり、Ｋ０４に対応する色は黒色に近いメタリック色である。また、例えば、プラスチックに塗装する塗料において、Ｋ３１に対応する色は白色に近いメタリック色であり、Ｋ３２に対応する色は灰色のメタリック色であり、Ｋ３３に対応する色は青色に近いメタリック色であり、Ｋ３４に対応する色は黒色に近いメタリック色である。
【００４７】
メタリック色の塗料に関しては、塗料成分として、例えば、樹脂を２種類（ｊ１、ｊ２）用意し、顔料を２種類（ｇ１、ｇ２）用意し、溶剤を２種類（ｙ１、ｙ２）用意し、添加剤を２種類（ｔ１、ｔ２）用意し、アルミ粉を２種類（ａ１、ａ２）用意する。例えば、樹脂ｊ１はアクリルであり、樹脂ｊ２はウレタンであり、顔料ｇ１は酸化チタンＡであり、顔料ｇ２は酸化チタンＢであり、溶剤ｙ１は水であり、溶剤ｙ２はキシレンであり、添加剤ｔ１は（増粘剤Ａ、分散剤Ａ、消泡剤Ａ）であり、添加剤ｔ２は（増粘剤Ｂ、分散剤Ｂ、消泡剤Ｂ）であり、ａ１は円形のアルミフレークであり、ａ２は長方形のアルミフレークである。
【００４８】
実験により、それぞれの下地材料にそれぞれの塗料番号の色を塗装するのに適する塗料成分（樹脂、顔料、溶剤、添加剤）の配合比率を求める。文献、カタログなどにより適正な塗料成分がわかる場合は、その値を用いてもよい。
メタリック色の塗料に関しては、例えば、実験により、コンクリートに灰色のメタリック色を塗装する場合、樹脂ｊ１を４０重量パーセント、顔料ｇ１を１５重量パーセント、顔料カーボンブラックを１０重量パーセント、溶剤ｙ１を２０重量パーセント、添加剤ｔ１を５重量パーセント、アルミフレークａ１を１０重量パーセント配合すればよいことがわかっている。
このようにして、メタリック色の塗料に関しては、図６の各欄に対応する配合比率をすべて求め、その条件と配合比率の組合わせをメタリック色塗料配合比率記憶部１４４に記憶させる。メタリック色塗料配合比率記憶部１４４を外部記憶装置（図示せず）に設けてもよい。なお、下地材料の種類、下地材料に塗装する塗料の色の種類およびそれらの塗料番号の種類、塗料成分の種類は、上記の例に限定されることはなく、必要に応じて選定することができる。
【００４９】
（２）本発明の塗料製造方法
次に、本発明の塗料製造方法について説明する。
図１および図７を参照すると、本発明の塗料を製造する方法では、複数の色について塗料成分の配合比率を求める。前述したように、通常色の塗料に関して、図５の各欄に対応する通常色塗料配合比率をすべて求め、メタリック色の塗料に関して、図６の各欄に対応するメタリック色塗料配合比率をすべて求める（段階Ｓ７０１）。例えば、それぞれの塗料における配合比率は実験により求めることができる。
通常色塗料配合比率は製造管理装置１１０の通常色塗料配合比率記憶部１２６に記憶され、メタリック色塗料配合比率は製造管理装置１１０のメタリック色塗料配合比率記憶部１４４に記憶される。ここで、通常色塗料配合比率記憶部１２６が記憶する複数の通常色についての通常色塗料成分の配合比率は、塗装する下地材料と、塗装する塗料番号について、各塗料成分ごとに重量パーセントで求める。また、メタリック色塗料配合比率記憶部１４４が記憶する複数のメタリック色についてのメタリック色塗料成分の配合比率は、塗装する下地材料と、塗装する塗料番号について、各塗料成分ごとに重量パーセントで求める。
【００５０】
前記複数の通常色の塗料に関して、前記通常色塗料配合比率を用いて塗料成分の必要量を計算する配合計算式である通常色塗料配合計算式を求め、前記複数のメタリック色の塗料に関して、前記メタリック色塗料配合比率を用いて塗料成分の必要量を計算する配合計算式であるメタリック色塗料配合計算式を求める（段階Ｓ７０２）。通常色塗料配合計算式は製造管理装置１１０の通常色塗料配合計算式記憶部１２８に記憶され、メタリック色塗料配合計算式は製造管理装置１１０のメタリック色塗料配合計算式記憶部１４６に記憶される。
【００５１】
複数の色に関してそれぞれ製作された複数の色見本カード３００を含む色見本票３０１（図１０参照）を準備する。或いは、複数の色に関する色見本２２０ａ、および、それぞれの色を示す色識別記号２２０ｂ（２２０ｃ）を含む色見本帳２２０（図３参照）を準備する（段階Ｓ７０３）。
通常色の塗料を作るための塗料成分、および、メタリック色の塗料を作るための塗料成分を収容した複数の塗料成分収容容器１７０を準備する（段階Ｓ７０４）。
本発明においては、上記の段階Ｓ７０１〜段階Ｓ７０４は、どのような順番で行うこともできる。したがって、本発明は、上記の段階Ｓ７０１〜段階Ｓ７０４に関して、いかなる順番で行うものも包含する。
【００５２】
次に、製造すべき塗料に関するデータを入力装置１１２から入力する（段階Ｓ７０５）。入力装置１１２は、キーボード、スキャナ、プローブ型撮像装置などにより構成される。サンプルを光学顕微鏡２３０により観察し、サンプルの画像に関するデータをプローブ型撮像装置１１６のプローブを介して入力装置１１２に入力する。或いは、光学顕微鏡２３０に取り付けた撮影装置を用いて、サンプルの画像を写真フィルムに撮影し、この写真フィルムを現像し、その現像した写真フィルムから引き伸ばしたサンプルの拡大画像をスキャナに入力することにより、サンプルの画像に関するデータを入力装置１１２に入力する。
或いは、サンプルの画像を光学顕微鏡２３０により観察し、その観察結果を入力装置１１２のキーボードから入力装置１１２に入力する。観察結果をキーボードから入力する場合、観察結果のデータは、前述した図４（ａ）に示すような粒径（Ｄ）に関するデータと、図４（ｂ）に示すような基準色（Ｃ）に関するデータと、図４（ｃ）に示すような表面状態（Ｈ）に関するデータと、図４（ｄ）に示すようなエッジ状態（Ｅ）に関するデータとを含むのがよい。バーコードリーダ１１４を備える構成では、バーコードリーダ１１４が読みとった塗装すべき色に関するデータが入力装置１１２に入力される。
【００５３】
製造すべき塗料に関するデータは、塗料の必要量に関するデータを含む。塗料の必要量に関するデータは、塗料の重量に関するデータ、及び／又は、塗料を塗装すべき面積に関するデータ、及び／又は、塗料を塗装すべき部分の材質に関するデータを含む。製造すべき塗料に関するデータは、入力装置１１２のキーボードから入力装置１１２に入力する。
製造管理装置１１０の入力データ制御部１２０は、入力装置１１２に入力された製造すべき塗料に関するデータと、サンプルの画像に関するデータを受け入れる。
【００５４】
製造管理装置１１０に色見本記憶部１２２を設けるように構成した場合には、色判定部１２４は、入力データ制御部１２０から出力される製造すべき塗料の色に関する塗料色データと、色見本記憶部１２２が記憶している色見本とを比較して、製造すべき塗料の種類を判定する（段階Ｓ７０６）。この段階Ｓ７０６では、色判定部１２４は、製造すべき塗料が通常色塗料であるか、メタリック色塗料であるかを判定し、製造すべき塗料が通常色塗料である場合、製造すべき塗料の色を決定することもできる（段階Ｓ７０６）。通常色塗料の色の判定は、例えば、色見本記憶部１２２に複数の色のフィルタの画像を用意して、そのフィルタの画像を順次サンプルの画像に重ね、出来上がった画像の照度を比較測定することにより実施することができる。
或いは、色見本記憶部１２２を設けないように構成した場合には、色判定部１２４は、入力データ制御部１２０から出力される製造すべき塗料の色に関する塗料色データに基づいて、製造すべき塗料が通常色塗料であるか、メタリック色塗料であるかを判定する。すなわち、色見本記憶部１２２を設けないように構成した場合には、入力装置１１２のキーボードから、製造すべき塗料が通常色塗料であるか、メタリック色塗料であるかに関する塗料色データを入力すればよい。
【００５５】
製造すべき塗料が通常色塗料である場合、色見本票の中の色見本カード３００により、塗装すべき色に対応する色識別記号を選択する。そして、前記選択した色識別記号と、塗装塗料の必要量とを入力装置１１２から入力する。
複数の塗装の適用対象、例えば、「Ａ」および「Ｂ」に関して、異なる配合比率が色見本カード３００に表示されている場合、入力すべき色識別記号に関するデータは、色見本カード３００に表示されている塗装すべき色に対応する色識別記号と、「Ａ」又は「Ｂ」の記号とを含む。次に、通常色塗料成分データ演算部１３０は、前記通常色塗料配合比率、および、前記通常色塗料配合計算式を用いて塗料成分の必要量を計算する（段階Ｓ７０８）。
【００５６】
或いは、製造すべき塗料が通常色塗料である場合、色見本帳２２０により、塗装すべき色に対応する色識別記号を選択する。そして、前記選択した色識別記号と、塗装塗料の必要量とを入力装置１１２から入力する。通常色塗料成分データ演算部１３０は、前記通常色塗料配合比率、および、前記通常色塗料配合計算式を用いて塗料成分の必要量を計算する（段階Ｓ７０８）。
配合データ出力部１５６は、通常色塗料出力データ制御部１３２が出力する出力信号を入力して、通常色塗料の塗料成分の必要量に関するデータを塗料配合装置１６０に出力する。
【００５７】
次に、塗料成分の必要量の計算結果に基づいて、塗料成分収容容器１７０内の塗料成分を用いて通常色塗料を製造する（段階Ｓ７０９）。
塗料配合装置１６０の配合データ入力部１６２は、配合データ出力部１６０が出力する出力信号を入力する。配合データ入力装置１６４により、製造すべき通常色塗料の配合に関するデータを入力する。塗料配合装置１６０の塗料成分配合制御部１６６は、配合データ入力部１６２が入力した通常色塗料の塗料成分の必要量に関するデータと、配合データ入力装置１６４から入力された製造すべき通常色塗料の配合に関するデータを受け入れて、通常色塗料の塗料成分の配合を制御する。或いは、配合データ入力装置１６４を設けない構成では、製造すべき通常色塗料の配合に関するデータを入力装置１１２により入力する。
【００５８】
小出し機構１７２は、塗料成分配合制御部１６６が出力する信号に応答して作動し、通常色塗料を作るための塗料成分を収容した複数の塗料成分収容容器１７０から出る、それぞれの塗料成分の排出量を制御する。それぞれの通常色塗料の塗料成分の必要量は、小出し機構１７２の作動により、それぞれの塗料成分収容容器１７０から出されて塗料貯蔵容器１７４に送られる。このようにして、通常色塗料が必要な量だけ製造される。
塗料を製造するときは、最初に、塗料製造入力装置４０２から、製造すべき塗料の配合に関するデータを入力する。次に、塗料製造入力装置４０２から、塗料製造作業に関する指令を入力するために設けられる。入力制御部４０４は、塗料製造入力装置４０２から入力されたデータおよび指令を受け入れ、製造管理装置の作動を開始させるための信号を出力する。塗料成分配合制御部１６６は、入力制御部４０４から製造管理装置の作動を開始させるための信号を受け入れ、配合データ入力部１６２が入力した塗料成分の必要量に関するデータと、配合データ入力装置１６４から入力された製造すべき塗料の配合に関するデータを受け入れて、塗料成分の配合を制御する。
【００５９】
塗料成分バルブ制御部４０６は、配合データ出力部１５６が出力する出力信号を入力し、塗料成分配合制御部１６６が出力する出力信号に基づいて、塗料成分バルブ３７２の開閉作動を制御するの信号を塗料成分バルブ３７２に出力する。すなわち、塗料成分配合制御部１６６が出力する出力信号に基づいて第１塗料成分バルブ３７２ａが作動し、第１塗料成分収容容器３７０ａの中の塗料成分は、第１塗料成分バルブ３７２ａが開くことにより、塗料貯蔵容器３７４の中に必要な量だけ小出しされる。同様に、塗料成分配合制御部１６６が出力する出力信号に基づいて第２塗料成分バルブ３７２ｂが作動し、第２塗料成分収容容器３７０ｂの中の塗料成分は、第２塗料成分バルブ３７２ｂが開くことにより、塗料貯蔵容器３７４の中に必要な量だけ小出しされる。同様に、塗料成分配合制御部１６６が出力する出力信号に基づいて第ｎ塗料成分バルブ３７２ｎが作動し、第ｎ塗料成分収容容器３７０ｎの中の塗料成分は、第ｎ塗料成分バルブ３７２ｎが開くことにより、塗料貯蔵容器３７４の中に必要な量だけ小出しされる。
【００６０】
攪拌装置３８０は、攪拌装置制御部４０８が出力する出力信号に基づいて作動する。すなわち、攪拌装置３８０のモータ３８２が作動することにより回転羽根３８４が回転して、塗料貯蔵容器３７４内の塗料成分を混合攪拌し、塗料を製造する。
塗装作業を行うとき、塗料容器バルブ制御部４１０は、塗料成分配合制御部１６６が出力する出力信号に基づいて、塗料容器バルブ３８６の作動を制御する。
塗装用ノズル３９０、塗装用ノズル制御部４１２が出力する出力信号に基づいて動作し、塗料容器バルブ３８６が開いているときに、塗料貯蔵容器３７４内の塗料を塗装対象に向かって噴射する。
段階Ｓ７０６において、サンプルの色がメタリック色であると判定された場合、或いは、入力装置１１２のキーボードから、製造すべき塗料がメタリック色塗料であるという塗料色データが入力された場合、メタリック色塗料特徴部１４２は、メタリック色塗料特徴分析データ記憶部１４０が記憶しているメタリック色塗料特徴分析データを用いてメタリック色塗料の特徴を分析する。
【００６１】
例えば、図８を参照すると、メタリック色塗料特徴分析部１４２は、表示装置１５４の表示画面の右側に基準図として、図４（ａ）に示すような粒径（Ｄ）について、「大」のレベル（Ｄ１）と、「中」のレベル（Ｄ２）と、「小」のレベル（Ｄ３）とを表示させる。この粒径（Ｄ）に関するデータは、メタリック色塗料特徴分析データ記憶部１４０が記憶している。さらに、メタリック色塗料特徴分析部１４２は、表示装置１５４の表示画面の左側に未知試料の概観図を表示させる。この未知試料の概観図に関するデータは、入力データ制御部１２０から出力される。
メタリック色塗料特徴分析部１４２は、未知試料の概観図の特徴を分析して、基準図の中の一番近いレベルを選択する。未知試料の特徴の分析は、形状、濃度などをパラメータとしてメタリック色塗料特徴分析部１４２が演算処理を行うことができる。或いは、未知試料の特徴の分析は、観察者が表示画面を見て行うことができる。観察者が表示画面を見て未知試料の特徴の分析を行う場合、その分析結果は入力装置１１２のキーボードから入力される。同様に、メタリック色塗料特徴分析部１４２は、図４（ｂ）に示すような基準色（Ｃ）と、図４（ｃ）に示すような表面状態（Ｈ）と、図４（ｄ）に示すようなエッジ状態（Ｅ）を、個別に表示装置１５４の表示画面の右側に基準図として表示することができる。したがって、上記の粒径（Ｄ）の分析と同様に、基準色（Ｃ）、表面状態（Ｈ）、エッジ状態（Ｅ）を分析することができる。
【００６２】
次に、メタリック色塗料成分データ演算部１４８は、メタリック色塗料配合比率記憶部１４４が記憶しているメタリック色塗料配合比率と、メタリック色塗料配合計算式記憶部１４６が記憶しているメタリック色塗料配合計算式と、メタリック色塗料特徴分析部１４２が分析した結果とを用いて、メタリック色塗料の塗料成分の必要量を計算する（段階Ｓ７１１）。
配合データ出力部１５６は、メタリック色塗料出力データ制御部１５０が出力する出力信号を入力して、メタリック色塗料の塗料成分の必要量に関するデータを塗料配合装置１６０に出力する。
次に、塗料成分の必要量の計算結果に基づいて、塗料成分収容容器１７０内の塗料成分を用いてメタリック色塗料を製造する（段階Ｓ７１２）。
塗料配合装置１６０の配合データ入力部１６２は、配合データ出力部１６０が出力する出力信号を入力する。配合データ入力装置１６４により、製造すべきメタリック色塗料の配合に関するデータを入力する。塗料配合装置１６０の塗料成分配合制御部１６６は、配合データ入力部１６２が入力したメタリック色塗料の塗料成分の必要量に関するデータと、配合データ入力装置１６４から入力された製造すべきメタリック色塗料の配合に関するデータを受け入れて、メタリック色塗料成分の配合を制御する。或いは、配合データ入力装置１６４を設けない構成では、製造すべきメタリック色塗料の配合に関するデータを入力装置１１２により入力する。
【００６３】
小出し機構１７２は、塗料成分配合制御部１６６が出力する信号に応答して作動し、メタリック色塗料を作るための塗料成分を収容した複数の塗料成分収容容器１７０から出る、それぞれの塗料成分の排出量を制御する。それぞれの塗料成分の必要量は、小出し機構１７２の作動により、それぞれの塗料成分収容容器１７０から出されて塗料貯蔵容器１７４に送られる。このようにして、メタリック色塗料が必要な量だけ製造される。
製造管理装置１１０の表示制御部１５２は、通常色塗料出力データ制御部１３２が出力する出力信号を入力して、通常色塗料成分データ演算部１３０が演算した塗料成分の必要量に関するデータと、メタリック色塗料出力データ制御部１５２が出力する出力信号を入力して、メタリック色塗料成分データ演算部１４８が演算した塗料成分の必要量に関するデータとの表示を制御する。製造管理装置１１０の表示装置１５４は、表示制御部１５２が出力する出力信号を入力して、塗料成分の必要量に関するデータを表示する。表示装置１５４は、例えば、液晶ディスプレイ、または、ブラウン管ディスプレイなどにより構成される。表示装置１５４とともに、プリンタなどの出力機器（図示せず）に、塗料成分の必要量に関するデータを出力することもできる。
【００６４】
図９を参照すると、表示装置１５０に表示される内容の一例が示されている。
表示装置１１０に表示される内容は、例えば、データ作成年月日が「２００２年１月３１日」であり、塗料番号が「Ｋ０１（メタリック色）」であり、塗料必要量が「１００ｋｇ」であり、塗料成分の名称とその使用量（重量：ｇ）は、「アクリル樹脂：６０ｋｇ、酸化チタン：１５ｋｇ、溶剤（水）：１５ｋｇ、添加剤（増粘剤Ａ、分散剤Ａ、消泡剤Ａ）：５ｋｇ、アルミ粉（ａ１）：５ｋｇ」である。
【図面の簡単な説明】
【図１】本発明の塗料製造装置の実施形態において、製造管理装置の全体構成を示すブロック図である。
【図２】本発明の塗料製造装置の実施形態において、塗料配合装置の全体構成を示すブロック図である。
【図３】本発明の塗料製造装置の実施形態において、色見本帳の概要を示す斜視図である。
【図４（ａ）】メタリック色塗料の特徴を分析するためのメタリック色塗料特徴分析データのなかで、粒径の一例を示す概略図である。
【図４（ｂ）】メタリック色塗料の特徴を分析するためのメタリック色塗料特徴分析データのなかで、基準色の一例を示す概略図である。
【図４（ｃ）】メタリック色塗料の特徴を分析するためのメタリック色塗料特徴分析データのなかで、表面状態の一例を示す概略図である。
【図４（ｄ）】メタリック色塗料の特徴を分析するためのメタリック色塗料特徴分析データのなかで、エッジ状態の一例を示す概略図である。
【図５】本発明の塗料製造装置の実施形態において、通常色塗料の塗料成分の配合比率を示す一覧表である。
【図６】本発明の塗料製造装置の実施形態において、メタリック色塗料の塗料成分の配合比率を示す一覧表である。
【図７】本発明の塗料製造方法の実施形態において、処理の手順を示すフローチャートである。
【図８】本発明の塗料製造装置の実施形態において、表示装置に表示される基準図と未知試料の概観図の一例を示す概略図である。
【図９】本発明の塗料製造装置の実施形態において、表示装置に表示される内容の一例を示す概略図である。
【図１０】本発明の塗料製造装置の実施形態において、第１タイプの色見本カードを示す平面図である。
【図１１】本発明の塗料製造装置の実施形態において、第２タイプの色見本カードを示す平面図である。
【図１２】本発明の塗料製造装置の実施形態において、第３タイプの色見本カードを示す平面図である。
【図１３】本発明の塗料製造装置の実施形態において、塗料配合装置の具体的な構造を示す部分断面側面図である。
【図１４】本発明の塗料製造装置の実施形態において、製造管理装置の具体的構成を示すブロック図である。
【図１５】本発明の塗料製造装置の実施形態において、塗料配合装置の他の構造を示す上面図である。
【図１６】本発明の塗料製造装置の実施形態において、塗料配合装置の他の構造を示す側面図である。
【符号の説明】
１００    塗料製造装置
１１０    製造管理装置
１２６    通常色塗料配合比率記憶部
１２８    通常色塗料配合計算式記憶部
１３０    通常色塗料成分データ演算部
１４０    メタリック色塗料特徴分析データ記憶部
１４２    メタリック色塗料特徴分析部
１４４    メタリック色塗料配合比率記憶部
１４６    メタリック色塗料配合計算式記憶部
１４８    メタリック色塗料成分データ演算部
１６０    塗料配合装置
１７０    塗料成分収容容器
１７２    小出し機構
２３０    光学顕微鏡
３００    色見本カード
３０１    色見本票
３０２    色見本部
３０４    カード区分表示部
３０６    色識別記号部
３０８    塗装色名部
３１０    配合データ表示部
３１２    適用対象表示部
３７０    塗料成分収容容器
３７２    塗料成分バルブ
３７４    塗料貯蔵容器
３８０    攪拌装置
３８８    塗料容器バルブ
３９０    塗装用ノズル
４００    製造管理装置
４０６    塗料成分バルブ制御部
４０８    攪拌装置制御部
４１０    塗料容器バルブ制御部
４１２    塗装用ノズル制御部
【図１】
2005024458.tif 000003
【図２】
2005024458.tif 000004
【図３】
2005024458.tif 000005
【図４（ａ）】
2005024458.tif 000006
【図４（ｂ）】
2005024458.tif 000007
【図４（ｃ）】
2005024458.tif 000008
【図４（ｄ）】
2005024458.tif 000009
【図５】
2005024458.tif 000010
【図６】
2005024458.tif 000011
【図７】
2005024458.tif 000012
【図８】
2005024458.tif 000013
【図９】
2005024458.tif 000014
【図１０】
2005024458.tif 000015
【図１１】
2005024458.tif 000016
【図１２】
2005024458.tif 000017
【図１３】
2005024458.tif 000018
【図１４】
2005024458.tif 000019
【図１５】
2005024458.tif 000020
【図１６】
2005024458.tif 000021